(57)【要約】【課題】カードトレイの不用意な抜けを確実に防ぐ。【解決手段】カードコネクタＣは、カードトレイ１０と、板ばね５１と、係止解除スライダ６０と、ストッパ６２とを備える。カードトレイ１０は、スライド自在であり、突起部１１ａと抜止めのための係止段部１１ｂとを有する。板ばね５１は、挿入方向にスライドしてきたカードトレイ１０の突起部１１ａに押されて弾性変形し、突起部が通過し弾性変形が解除されることにより係止段部１１ｂに係止してカードトレイ１０を抜け止めする。係止解除スライダ６０は、スライド自在であって、治具Ｔに押されて挿入方向にスライドし板ばね５１を弾性変形させて、板ばねの係止を解除する。ストッパ６２は、取出し方向にスライドした状態において、板ばね６１の、係止段部１１ｂとの係止が解除される向きへの変形を抑える。【選択図】        図９
2014002894.tif 000002
【特許請求の範囲】
【請求項１】
カードを載せて挿入／取出し方向に往復スライド自在であって、突起部と該突起部の挿入方向後端に形成された抜止めのための係止段部とを有するカードトレイと、
前記挿入方向にスライドしてきた前記カードトレイを受け入れる受入空間が形成されたハウジングと、
前記挿入方向にスライドしてきた前記カードトレイの前記突起部に押されて弾性変形し、該突起部が挿入方向に通過し該弾性変形が解除されることにより前記係止段部に係止して該カードトレイを抜け止めする板ばねと、
前記ハウジング内に配置され、前記挿入／取出し方向に往復スライド自在であって、前記ハウジング外部から挿入される治具に押されて前記挿入方向にスライドし前記板ばねを弾性変形させて、該板ばねの、前記係止段部との係止を解除する係止解除スライダと、
前記係止解除スライダを取出し方向に押す戻しばねと、
前記係止解除スライダが取出し方向にスライドした状態において、前記板ばねの、前記係止段部との係止が解除される向きへの変形を阻止するストッパとを備えたことを特徴とするカードコネクタ。
【請求項２】
前記イジェクトスライダは、当該イジェクトスライダが取出し方向にスライドした状態において前記板ばねを前記ストッパの作用を免れる姿勢にまで弾性変形させる押え部を有することを特徴とする請求項１記載のカードコネクタ。
【請求項３】
前記ストッパが、前記係止解除スライダに設けられていることを特徴とする請求項１または２記載のカードコネクタ。
【請求項４】
前記ハウジング内に配置され、前記挿入／取出し方向に往復スライド自在であって、挿入方向にスライドしてきた前記カードトレイに押されて該挿入方向に移動するイジェクトスライダと、
前記イジェクトスライダを抜取り方向に押すイジェクトばねとを備えたことを特徴とする請求項１から３いずれか１項記載のカードコネクタ。
【発明の詳細な説明】
【技術分野】
【０００１】
本発明は、カードコネクタに関する。
【背景技術】
【０００２】
例えば携帯端末に代表される電子機器に、ＩＣが内蔵されたカードを装着するためのカードコネクタが知られている。例えば、特許文献１には、いわゆるプッシュ／プッシュ形式のカードイジェクト機構を有するカードコネクタが示されている。このカードコネクタは、コンタクト、トレイ、およびロック金具を備えている。トレイは、移動することでカードとコンタクトを接触させる。ロック金具はトレイの移動を阻止するためのものである。このカードコネクタに対しカードが誤挿入された場合には、トレイの移動がロック金具によって阻止される。したがって、カードとコンタクトの接触が阻止される。
【先行技術文献】
【特許文献】
【０００３】
【特許文献１】特開２００７−２２７２５８号公報
【発明の概要】
【発明が解決しようとする課題】
【０００４】
携帯端末のように携帯されることの多い電子機器に設けられるカードコネクタに対しては、挿入されたカードやカードトレイの不用意な抜けを確実に防ぐことが望まれている。しかしながら、特許文献１に示すカードコネクタにおいて、トレイは、カードの誤挿入を防止するものの、挿入されたカードの抜止めとして機能できない。また、特許文献１のロック金具は、先端の弧状部分がカードに係合するので、カードの抜けを防止する強度が弱い。
【０００５】
本発明は上記問題点を解決し、カードを載せたカードトレイの不用意な抜けを確実に防ぐカードコネクタを提供することを目的とするものである。
【課題を解決するための手段】
【０００６】
上記目的を達成する本発明のカードコネクタは、
カードを載せて挿入／取出し方向に往復スライド自在であって、突起部とこの突起部の挿入方向後端に形成された抜止めのための係止段部とを有するカードトレイと、
上記挿入方向にスライドしてきた上記カードトレイを受け入れる受入空間が形成されたハウジングと、
上記挿入方向にスライドしてきた上記カードトレイの上記突起部に押されて弾性変形し、この突起部がこの挿入方向に通過しこの弾性変形が解除されることにより上記係止段部に係止してこのカードトレイを抜け止めする板ばねと、
上記ハウジング内に配置され、上記挿入／取出し方向に往復スライド自在であって、上記ハウジング外部から挿入される治具に押されて前記挿入方向にスライドし上記板ばねを弾性変形させて、この板ばねの、上記係止段部との係止を解除する係止解除スライダと、
上記係止解除スライダを取出し方向に押す戻しばねと、
上記係止解除スライダが取出し方向にスライドした状態において、上記板ばねの、上記係止段部との係止が解除される向きへの変形を阻止するストッパとを備えたことを特徴とする。
【０００７】
本発明のカードコネクタでは、カードトレイが挿入方向にスライドすると、カードトレイの突起部に押されて弾性変形した板ばねが、突起部の通過によって弾性変形が解除され、係止段部に係止する。この結果、カードスライダが抜け止めされる。カードの取出しの際、板ばねが、治具に押されてスライドする係止解除スライダによって変形することで、上記係止を解除する。本発明のカードコネクタでは、ストッパが、係止解除スライダが取出し方向にスライドした状態で、板ばねを抑える。このため、落下等の衝撃を受けても、板ばねが変形し難い。したがって、板ばねによるカードトレイの係止が解除されない。よ
って、カードトレイの不用意な抜けが確実に防止される。
【０００８】
ここで、上記本発明のカードコネクタにおいて、イジェクトスライダは、当該イジェクトスライダが取出し方向にスライドした状態において上記板ばねを上記ストッパの作用を免れる姿勢にまで弾性変形させる押え部を有することが好ましい。
【０００９】
カードの取出しにおいて、係止解除スライダは、治具に押されてスライドし、板ばねを変形させた後、治具の抜取りに伴って取出し方向にスライドすることとなる。また、イジェクトスライダは、カードトレイを押し戻しながら取出し方向にスライドする。イジェクトスライダの押え部が、カードの取出しの際に板ばねを変形しておくことで、この板ばねは、係止解除スライダのストッパによる、変形の抑えから免れる。したがって、カードトレイが再び挿入される際には、板ばねがカードトレイの突起部に押され、さらに弾性変形の解除により係止段部に係止する。よって、カードトレイの挿入／取出しがスムーズに行われる。
【００１０】
また、上記本発明のカードコネクタにおいて、上記ストッパが、上記係止解除スライダに設けられていることが好ましい。
【００１１】
係止解除スライダにストッパが設けられていることで、カードトレイの取出しの際に、カードトレイの挿入方向へのスライドが不要である。
【００１２】
また、上記本発明のカードコネクタにおいて、
上記ハウジング内に配置され、上記挿入／取出し方向に往復スライド自在であって、挿入方向にスライドしてきた上記カードトレイに押されてこの挿入方向に移動するイジェクトスライダと、
上記イジェクトスライダを抜取り方向に押すイジェクトばねとを備えてもよい。
【発明の効果】
【００１３】
以上説明したように、本発明によれば、カードを載せたカードトレイの不用意な抜けを確実に防ぐカードコネクタが実現する。
【図面の簡単な説明】
【００１４】
【図１】本発明のカードコネクタの一実施形態を示す斜視図である。
【図２】カードコネクタが電子機器に取り付けられた状態を示す斜視図である。
【図３】図２に示すカードコネクタを別の向きから見た斜視図である。
【図４】カードコネクタの平面図である。
【図５】図４に示すカードコネクタの断面図である。
【図６】カードトレイが挿入される途中の状態を示す平面図である。
【図７】図６に示すカードコネクタの断面図である。
【図８】カードトレイの挿入が完了した状態を示す平面図である。
【図９】図８に示すカードコネクタの断面図である。
【図１０】図９に示すカードコネクタの、板ばね付近の構造を示す拡大斜視図である。
【図１１】カードコネクタからカードトレイを取り出すための治具の適用を説明する斜視図である。
【図１２】治具が挿入された状態のカードコネクタを示す平面図である。
【図１３】図１２に示すカードコネクタの断面図である。
【図１４】図１２の状態から治具がさらに挿入された状態のカードコネクタを示す平面図である。
【図１５】図１４に示すカードコネクタの断面図である。
【図１６】板ばねと係止段部との係止が解除された後のカードコネクタを示す平面図である。
【図１７】図１６に示すカードコネクタの断面図である。
【図１８】カードトレイが取出し方向にさらに移動した状態を示す平面図である。
【図１９】図１８に示すカードコネクタの断面図である。
【図２０】図１８，１９に示すカードコネクタの板ばね付近の構造を示す拡大斜視図である。
【図２１】カードコネクタの筐体内での配置例を示す平面図である。
【発明を実施するための形態】
【００１５】
以下図面を参照して本発明の実施の形態を説明する。
【００１６】
図１〜５は、本発明のカードコネクタの一実施形態を示す斜視図である。
【００１７】
図１には、カードコネクタＣと、このカードコネクタＣに接続されるカードＪが示されている。カードコネクタＣは、例えば携帯端末に代表される電子機器にカードＪを装着するためのものである。カードＪは、ＩＣが内蔵されたＩＣカードであり、例えばナノＳＩＭカードである。カードＪは概略矩形の板状であり、電気接点Ｐを有している。
【００１８】
図２は、カードコネクタＣが電子機器に取り付けられた状態を示す斜視図である。また、図３は、図２に示すカードコネクタを別の向きから見た斜視図である。図には、筐体Ｅのうち、カードＪが出入りする部分のみが示されている。
【００１９】
カードコネクタＣは、表面実装型の部品であり、電子機器筐体Ｅ（以降単に筐体Ｅと称する）の内部に設けられた電子回路基板Ｂに半田接続によって固定されている。電子回路基板Ｂは、筐体Ｅに対し、例えばねじ止めや接着等により固定されている。
【００２０】
図４は、カードコネクタの平面図である。また、図５は、図４に示すカードコネクタＣの断面図であり、図５のパート（Ａ）は図４のＡ−Ａ線断面図であり、パート（Ｂ）は図４のＢ−Ｂ線断面図であり、パート（Ｃ）は図４のＣ−Ｃ線断面図である。なお、断面図におけるハッチングは、構造を見やすくするため、材料の種類を無視して部材ごとに区別している。また、一部の部材についてはハッチングを省略している。
【００２１】
ここで、図１〜５を参照してカードコネクタＣの構成を説明する。
【００２２】
カードコネクタＣは、カードトレイ１０、ハウジング２０、イジェクトスライダ３０、イジェクトばね４０、ロック部材５０、係止解除スライダ６０、戻しばね７０、およびコンタクト８０を備えている。
【００２３】
カードトレイ１０は、カードＪを載せ、筐体Ｅの内部に対し挿入および取出しされる部材である。カードトレイ１０の図１〜４に現れる面とは逆の面には、カードＪの外形に相応した窪み（図示しない）が設けられている。カードコネクタＣは、実際に電子機器に装着された場合には、図１〜５に示す姿勢とは上下が反転した姿勢で、カードトレイ１０の挿入および取出しが行われる。カードＪは、図１〜４に示す姿勢とは上下反転した姿勢のカードトレイ１０に、図示しない窪みに嵌るように載せられることでカードトレイ１０に保持される。カードトレイ１０は、カードＪを載せた状態で、筐体Ｅの差入口Ｅｏから筐体Ｅ内部に挿入される。なお、本実施形態を表す図は、コネクタの構造を分かり易く示すため、カードトレイ１０が実際に挿入されるときの姿勢とは上下反転した姿勢を示す。また、図に示すカードコネクタＣの姿勢を基準として上下の方向を説明する。カードコネク
タＣにおいて、カードトレイ１０が挿入される方向を挿入方向Ｓと称し、カードトレイ１０が取り出される方向を取出し方向Ｒと称する。また、挿入方向Ｓおよび取出し方向Ｒに沿った双方向を挿入／取出し方向ＳＲと称する。
【００２４】
カードトレイ１０は、板状部１１および蓋部１２を備えている。カードトレイ１０は樹脂成型品である。板状部１１および蓋部１２は一体に形成されている。板状部１１は、カードＪが載る概略矩形の板状である。蓋部１２は、板状部１１の、挿入方向Ｓ後端縁（取出し方向Ｒでは先端縁）に設けられている。
【００２５】
蓋部１２は、カードトレイ１０が筐体Ｅに挿入されるとき、筐体Ｅの差入口Ｅｏを塞ぐ。蓋部１２の一部の面は、筐体Ｅの外部に露出する、この蓋部１２の露出する面は、筐体Ｅのうちの、差入口Ｅｏの周囲の外壁面Ｅａに対し、ほぼ平行になるように形成されている。蓋部１２には、カードトレイ１０の取出し用の治具が挿入される治具挿入孔１２ｈが設けられている。治具挿入孔１２ｈは、蓋部１２が差入口Ｅｏを塞ぐときに、筐体Ｅに設けられた治具挿入孔Ｅｈと繋がる。
【００２６】
板状部１１には、突起部１１ａ、およびカードトレイ１０自体の抜止めのための係止段部１１ｂが設けられている。突起部１１ａは、図５のパート（Ａ）に示すように、挿入／取出し方向ＳＲとは垂直方向（図５では下方）に突出している。係止段部１１ｂは、突起部１１ａの挿入方向Ｓ後端（取出し方向Ｒの端）に形成されている。なお、本実施形態では、突起部１１ａより取出し方向Ｒの部分に凹部を形成することで、突起部１１ａを相対的に突出させている。
【００２７】
ハウジング２０は樹脂成型品である。ハウジング２０には、挿入方向Ｓにスライドしてきたカードトレイ１０を受け入れる受入空間２１が形成されている。なお、カードコネクタＣには、ハウジング２０の上方を覆う、金属板からなるシェルも備えられている。シェルの図示は、カードコネクタＣの内部構造を見やすくするため、省略する。受入空間２１は、ハウジング２０と図示しないシェルで囲まれ、筐体Ｅの差入口Ｅｏに向かって、取出し方向Ｒに開口している。
【００２８】
コンタクト８０は、カードＪの電気接点Ｐと電気的に接続するための部材である。コンタクト８０は、金属板を打抜き加工および折曲げ加工することで形成されている。コンタクト８０は、ハウジング２０に、インサート成形によって固定されている。コンタクト８０のそれぞれの先端は、受入空間２１内に入り込んでおり、他端は、電子回路基板Ｂの導体パターンに半田接続される。
【００２９】
イジェクトスライダ３０、イジェクトばね４０、ロック部材５０、係止解除スライダ６０、および戻しばね７０は、ハウジング２０の内部に配置されている。ただし、ロック部材５０の一部は、ハウジング２０から取出し方向Ｒに突出している。
【００３０】
イジェクトスライダ３０は、ハウジング２０に受け入れられたカードトレイ１０を、イジェクトするための部材である。イジェクトスライダ３０は、樹脂成型品であり、挿入／取出し方向ＳＲに往復スライド自在に支持されている。
【００３１】
イジェクトスライダ３０は、当接部３１および押え部３２を備えている。当接部３１は、Ｌ字状に曲がって受入空間２１内に突出している。当接部３１には、挿入方向Ｓにスライドしてきたカードトレイ１０の挿入方向Ｓ先端が当接する。カードトレイ１０が当接部３１を押すことで、イジェクトスライダ３０が挿入方向Ｓに移動する。押え部３２は、ロック部材５０を抑えるための部分である。
【００３２】
イジェクトばね４０は、イジェクトスライダ３０を取出し方向Ｒに押す部材である。イジェクトばね４０は、イジェクトスライダ３０とハウジング２０の間に設けられた圧縮ばねである。イジェクトスライダ３０がカードトレイ１０に押されて挿入方向Ｓに移動する際には、イジェクトばね４０は、イジェクトスライダ３０に押されて圧縮されるとともに、イジェクトスライダ３０を取出し方向Ｒに加圧する。イジェクトの際には、イジェクトばね４０の力を受けたイジェクトスライダ３０が、カードトレイ１０を取出し方向Ｒに押し出す。
【００３３】
ロック部材５０は、カードトレイ１０を抜止め（ロック）する部材である。ロック部材５０は、板ばね５１とトレイ位置決め部材５２とを備えている。板ばね５１は金属板を折
曲げ加工することで形成される。トレイ位置決め部材５２は樹脂成型品であり、ハウジング２０に対し、挿入／取出し方向ＳＲに往復スライド自在に支持されている。板ばね５１の端は、インサートモールドによってトレイ位置決め部材５２に固定されている。したがって、板ばね５１は、トレイ位置決め部材５２と一体で、挿入／取出し方向ＳＲにスライドする。トレイ位置決め部材５２は、ハウジング２０から取出し方向Ｒに突出している。このトレイ位置決め部材５２には、後に説明する治具Ｔを導く案内溝５２ｐが設けられている。また、板ばね５１は、トレイ位置決め部材５２から挿入方向Ｓへほぼ水平に延びた後、斜め上方に延びている。板ばね５１は、挿入方向Ｓにスライドしてきたカードトレイ１０の突起部１１ａに押されて、挿入方向Ｓとはほぼ垂直な方向（図５で下方）に弾性変形する。板ばね５１は、さらに突起部１１ａが挿入方向Ｓに通過すると、弾性変形が解除されて上方に戻ることにより係止段部１１ｂに係止する。板ばね５１の係止によって、カードトレイ１０が抜止めされる。
【００３４】
係止解除スライダ６０は、板ばね５１の係止段部１１ｂへの係止を解除するための部材である。係止解除スライダ６０は、樹脂成型品であり、ハウジング２０に対し、挿入／取出し方向ＳＲに往復スライド自在に支持されている。係止解除スライダ６０には、押下げ突起６１が設けられている。押下げ突起６１は、係止解除スライダ６０が挿入方向Ｓに移動するときに、板ばね５１に押し当たってこの板ばね５１を挿入方向Ｓとはほぼ垂直な方向（図５で下方）に弾性変形させる。
【００３５】
戻しばね７０は、係止解除スライダ６０を取出し方向Ｒに押す部材である。戻しばね７０は、係止解除スライダ６０とハウジング２０との間に配置された圧縮ばねである。係止解除スライダ６０は、カードトレイ１０の治具挿入孔１２ｈを通して外部から挿入される棒状の治具Ｔ（図１１参照）に押され、挿入方向Ｓに移動するとき戻しばね７０を圧縮する。このとき、係止解除スライダ６０の押下げ突起６１が板ばね５１を弾性変形させ、板ばね５１の係止段部１１ｂに対する係止を解除させる。治具Ｔ（図１１参照）が抜き取られると、係止解除スライダ６０は、戻しばね７０に押されて取出し方向Ｒに移動する。
【００３６】
係止解除スライダ６０には、板ばね５１の変形を抑えるためのストッパ６２も設けられている。ストッパ６２は、押下げ突起６１よりも挿入方向Ｓ側に設けられている。ストッパ６２は、板ばね５１が延びる挿入方向Ｓとは反対の取出し方向Ｒに突出した突起である。ストッパ６２は、係止段部１１ｂに係止した状態の板ばね５１よりも下方（すなわちストッパ６２が弾性変形する方）に設けられている。本実施形態におけるストッパ６２の上部は、取出し方向Ｒに向かって開口した溝となっている。上述したイジェクトスライダ３０の押え部３２（図５のパート（Ｂ））と、ストッパ６２（図５のパート（Ｃ））は、板ばね５１を弾性変形する方向で互いに一部が重なる位置に配置されている。押え部３２およびストッパ６２の機能については後述する。
【００３７】
カードトレイ１０がハウジング２０に挿入されていない状態では、戻しばね７０に押された係止解除スライダ６０は、ロック部材５０のトレイ位置決め部材５２に突き当たり、トレイ位置決め部材５２を取出し方向Ｒに押している。この結果、トレイ位置決め部材５２は、筐体Ｅの内壁面Ｅｂに突き当てられる。より詳細には、トレイ位置決め部材５２は、筐体Ｅの内壁面Ｅｂの治具挿入孔１２ｈの周りに突き当てられている。したがって、ロック部材５０、すなわちトレイ位置決め部材５２および板ばね５１は、筐体Ｅに対して位置決めされている。
【００３８】
なお、カードトレイ１０がハウジング２０に挿入されていない状態では、トレイ位置決め部材５２は、イジェクトばね４０に押されたイジェクトスライダ３０によっても筐体Ｅの内壁面Ｅｂに突き当てられている。
【００３９】
［挿入／取出し動作］
図６〜図２０は、図１〜５に示すカードコネクタＣにおいて、カードトレイ１０がハウジング２０に対し挿入および取出しされる過程を示す図である。ここで、図６は、カードトレイ１０が挿入される途中の状態を示す平面図である。図７は図６に示すカードコネクタＣの断面図であり、図７のパート（Ａ）は図６のＡ−Ａ線断面図であり、パート（Ｂ）は図６のＢ−Ｂ線断面図であり、パート（Ｃ）は図６のＣ−Ｃ線断面図である。
【００４０】
手指等で挿入方向Ｓに押し込まれるカードトレイ１０は、筐体Ｅの差入口Ｅｏを通ってスライドし、ハウジング２０の受入空間２１に受け入れられる。カードトレイ１０の挿入方向Ｓ先端は、イジェクトスライダ３０の当接部３１に当接する。イジェクトスライダ３０は、カードトレイ１０に押されて挿入方向Ｓに移動する。このとき、イジェクトスライダ３０はイジェクトばね４０を圧縮する。また、図７のパート（Ａ）に示すように、ロック部材５０の板ばね５１は、カードトレイ１０の突起部１１ａに押されて下方に弾性変形する。
【００４１】
図８は、カードトレイの挿入が完了した状態を示す平面図である。図９は、図８に示すカードコネクタＣの断面図であり、図９のパート（Ａ）は図８のＡ−Ａ線断面図であり、パート（Ｂ）は図８のＢ−Ｂ線断面図であり、パート（Ｃ）は図８のＣ−Ｃ線断面図である。
【００４２】
カードトレイ１０が図８に示す位置まで挿入されると、カードトレイ１０に保持されたカードＪの電気接点Ｐ（図１参照）が、コンタクト８０（図２参照）と接触する。図９のパート（Ａ）に示すように、カードトレイ１０の突起部１１ａが挿入方向Ｓに通過すると、板ばね５１の弾性変形が解除される。このことにより、板ばね５１は、係止段部１１ｂに係止してカードトレイ１０を抜け止め（ロック）する。より詳細には、挿入方向Ｓに対して斜め上方に延びた板ばね５１の先端が、係止段部１１ｂに引っ掛かった状態となる。したがって、カードトレイ１０から手指等を離してもカードトレイ１０が取出し方向Ｒに戻らない。このとき、ロック部材５０のトレイ位置決め部材５２は、イジェクトスライダ３０の当接部３１、カードトレイ１０の係止段部１１ｂおよび板ばね５１を介して、イジェクトばね４０によって取出し方向Ｒに押される。同時に、トレイ位置決め部材５２は、係止解除スライダ６０を介して戻しばね７０によって取出し方向Ｒに押される。これらばねの付勢により、カードトレイ１０がロックされている間、トレイ位置決め部材５２は、筐体Ｅの内壁面Ｅｂに突き当てられている。
【００４３】
カードトレイ１０が抜け止めされる位置は、板ばね５１を含むロック部材５０の位置を基準として決まる。ロック部材５０のトレイ位置決め部材５２は、筐体Ｅの内壁面Ｅｂに突き当てられているため、ロック部材５０は、筐体Ｅに対して位置決めされる。すなわち、カードトレイ１０が抜け止めされる位置は、ハウジング２０の位置に拘わらず、筐体Ｅに対して決められる。カードトレイ１０が抜け止めされる位置の調整については後述する。
【００４４】
また、板ばね５１の弾性変形が解除され係止段部１１ｂに係止すると、図９のパート（Ｃ）に示すように、係止解除スライダ６０が戻しばね７０に押されて取出し方向Ｒにスライドするとともに、係止解除スライダ６０のストッパ６２が、板ばね５１の下に入り込む。
【００４５】
図１０は、図９に示すカードコネクタの、板ばね付近の構造を示す拡大斜視図である。図１０には、カードトレイ１０のうち突起部１１ａおよび係止段部１１ｂの部分が破線で示されている。
【００４６】
突起部１１ａによる弾性変形が解除された板ばね５１の下に係止解除スライダ６０のストッパ６２が入り込んでいる。つまり、板ばね５１の先端が、ストッパ６２の上の溝に入り込んでいる。ストッパ６２は、板ばね５１の、係止段部１１ｂとの係止が解除される向き（図では下向き）への変形を阻止する。
【００４７】
例えば、カードコネクタＣを備えた筐体Ｅが、誤って落下したような場合に、落下の衝撃で板ばね５１が変形して係止段部１１ｂとの係止が解除されると、カードトレイ１０がハウジング２０および筐体Ｅから抜ける。この場合、カードＪの電気接続が切断されたり、カードＪが脱落するおそれがある。
【００４８】
係止解除スライダ６０のストッパ６２が板ばね５１の変形を阻止することで、カードトレイ１０の抜止めが意図せず解除される事態が防止される。ストッパ６２による抜止め解除防止は、例えばカードトレイ１０の挿入抵抗を抑える目的で弾性定数の小さい板ばねを用いた場合において、より有効である。
【００４９】
図１１は、カードコネクタからカードトレイを取り出すための治具の適用を説明する斜
視図である。
【００５０】
治具Ｔは、棒状の部材である。治具Ｔを蓋部１２の治具挿入孔１２ｈに差し込み、挿入方向Ｓに挿入することで、カードトレイ１０の抜止め（ロック）が解除される。治具挿入孔１２ｈから差し込まれた治具Ｔは、筐体Ｅの治具挿入孔Ｅｈ（図２参照）、およびトレイ位置決め部材５２の案内溝５２ｐを通って係止解除スライダ６０に突き当たる。治具Ｔは、筐体Ｅの内壁面Ｅｂに突き当てられたトレイ位置決め部材５２の案内溝５２ｐによって滑らかに導かれる。
【００５１】
図１２は、治具が挿入された状態のカードコネクタを示す平面図である。図１３は、図１２に示すカードコネクタの断面図であり、図１３のパート（Ａ）は図１２のＡ−Ａ線断面図であり、パート（Ｂ）は図１２のＢ−Ｂ線断面図であり、パート（Ｃ）は図１２のＣ−Ｃ線断面図である。
【００５２】
図１３のパート（Ｃ）に示すように、係止解除スライダ６０は、ハウジング２０の外部から挿入される治具Ｔに押されて挿入方向Ｓにスライドする。このとき、係止解除スライダ６０は、戻しばね７０を圧縮する。また、係止解除スライダ６０のストッパ６２は、板ばね５１の変形を阻止する位置から離れる。より詳細には、ストッパ６２が、板ばね５１の、弾性変形する側（図では下側）の位置から外れる。したがって、板ばね５１は、変形が可能な状態となる。
【００５３】
仮に、上記ストッパがカードトレイに設けられた場合には、ストッパを板ばねから離すために、カードトレイを一旦挿入方向Ｓにスライドさせる必要がある。本実施形態では、ストッパ６２が、カードトレイ１０とは独立に移動する係止解除スライダ６０に設けられている。このため、カードトレイ１０の取り外しに際し、カードトレイ１０を挿入方向Ｓにスライドさせる必要がない。
【００５４】
図１４は、図１２の状態から治具Ｔがさらに挿入された状態のカードコネクタを示す平面図である。図１５は、図１４に示すカードコネクタの断面図であり、図１５のパート（Ａ）は図１４のＡ−Ａ線断面図であり、パート（Ｂ）は図１４のＢ−Ｂ線断面図であり、パート（Ｃ）は図１４のＣ−Ｃ線断面図である。
【００５５】
図１５のパート（Ｃ）に示すように、係止解除スライダ６０は治具Ｔに押され、さらに挿入方向Ｓにスライドする。このとき、係止解除スライダ６０の押下げ突起６１が、板ばね５１を弾性変形させる。これによって、板ばね５１の、係止段部１１ｂとの係止が解除される（図１５のパート（Ａ））。
【００５６】
図１６は、板ばねと係止段部との係止が解除された後のカードコネクタを示す平面図である。図１７は、図１６に示すカードコネクタの断面図であり、図１７のパート（Ａ）は図１６のＡ−Ａ線断面図であり、パート（Ｂ）は図１６のＢ−Ｂ線断面図であり、パート（Ｃ）は図１６のＣ−Ｃ線断面図である。
【００５７】
板ばね５１との係止が解除されたカードトレイ１０は、イジェクトばね４０に押されたイジェクトスライダ３０に押されて取出し方向Ｒに移動する。この結果、カードトレイ１０は筐体Ｅの外に出てくる。このとき、カードトレイ１０の突起部１１ａが、板ばね５１の上を通過する。治具Ｔは、板ばね５１と係止段部１１ｂとの係止が解除された後は、カードコネクタＣから抜き取ることができる。治具Ｔは、挿入方向Ｓへの押込みから解放されると、戻しばね７０の力によって係止解除スライダ６０に押され、取出し方向Ｒに押し戻されてくる。係止解除スライダ６０が取出し方向Ｒに移動すると、板ばね５１を弾性変形させていた、係止解除スライダ６０の押下げ突起６１が板ばね５１から離れる。この場合には、カードトレイ１０の突起部１１ａが、板ばね５１の弾性変形の状態を維持する。
【００５８】
図１８は、カードトレイが取出し方向Ｒにさらに移動した状態を示す平面図である。図１９は、図１８に示すカードコネクタＣの断面図であり、図１９のパート（Ａ）は図１８のＡ−Ａ線断面図であり、パート（Ｂ）は図１８のＢ−Ｂ線断面図であり、パート（Ｃ）は図１８のＣ−Ｃ線断面図である。また、図２０は、図１８，１９に示すカードコネクタの板ばね付近の構造を示す拡大斜視図である。
【００５９】
カードトレイ１０がイジェクトスライダ３０に押されて取出し方向Ｒにさらに移動すると、カードトレイ１０の突起部１１ａに引き続いて、イジェクトスライダ３０の押え部３
２が板ばね５１を押さえる（図１９のパート（Ｂ））。したがって、係止解除スライダ６０の押下げ突起６１またはカードトレイ１０の突起部１１ａによる弾性変形（図１７参照）の状態は、そのまま維持される。
【００６０】
図１９のパート（Ｂ）に示すように、イジェクトスライダ３０の押え部３２は、板ばね５１を係止解除スライダ６０のストッパ６２の作用を免れる姿勢にまで弾性変形させている。より詳細には、係止解除スライダ６０は、治具Ｔ（図１７参照）が抜き取られるのに伴い、取出し方向Ｒに戻る。そして、図１９のパート（Ｃ）に示すように、係止解除スライダ６０のストッパ６２が、板ばね５１に近づいてくる。しかし、図１９のパート（Ｂ）および図２０に示すように、板ばね５１は、イジェクトスライダ３０の押え部３２によって、図では下方に弾性変形されているため、係止解除スライダ６０のストッパ６２が板ばね５１の下に入り込まない。つまり、板ばね５１は、ストッパ６２による抑えから免れており、依然として、力を受けて弾性変形することが可能な状態となっている。
【００６１】
したがって、筐体Ｅから取り出されたカードトレイ１０のカードＪ（図１参照）が別のものに交換され、カードトレイ１０が再び挿入されるとき、板ばね５１がカードトレイ１０の突起部１１ａによって弾性変形可能となる（図７の状態）。このようにして、カードトレイ１０の挿入が板ばね５１に妨げられずスムーズに行われる。
【００６２】
［カードトレイの抜止め位置調整］
図２１は、カードコネクタの筐体内での配置例を示す平面図である。図２１のパート（Ａ）は、カードコネクタＣが筐体Ｅから相対的に離れた配置を示し、パート（Ｂ）は、カードコネクタＣが筐体Ｅに相対的に近い配置を示している。
【００６３】
カードコネクタＣのハウジング２０は、電子回路基板Ｂに半田接続によって固定される。電子回路基板Ｂは、筐体Ｅに対し、ねじ止め等によって位置が固定されている。ここで、機器の製造工程において、電子回路基板Ｂ上のハウジング２０の位置には、半田接続に起因する個体ごとの偏差が生じる。また、電子回路基板Ｂと筐体Ｅとの位置関係にも偏差が生じ得る。
【００６４】
本実施形態のカードコネクタＣにおいて、係止解除スライダ６０が治具Ｔに押されていない場合、ロック部材５０のトレイ位置決め部材５２は、係止解除スライダ６０を介して戻しばね７０によって取出し方向Ｒに付勢されている。またさらに、図８および図９に示すようにカードトレイ１０がロック部材５０の板ばね５１によって抜止めされた場合、ロック部材５０のトレイ位置決め部材５２は、板ばね５１およびカードトレイ１０を介してイジェクトばね４０によって取出し方向Ｒに付勢されている。トレイ位置決め部材５２は、取出し方向Ｒに付勢されることで、取出し方向Ｒ先端が、筐体Ｅの内壁面Ｅｂに突き当てられている。このため、ロック部材５０は、筐体Ｅに対して精度よく位置決めされる。カードトレイ１０が抜け止めされる位置は、ロック部材５０の位置に応じて決められる。したがって、カードトレイ１０が抜け止めされる位置は、ハウジング２０の電子回路基板Ｂ上の位置に拘わらず、筐体Ｅに対して精度よく決められる。
【００６５】
例えば、筐体Ｅの外壁面Ｅａから板ばね５１の先端までの距離Ｄ２は、筐体Ｅの厚みとロック部材５０の寸法によって決まるため、成型による高い精度で製造することが容易である。また、カードトレイ１０における、収容時に筐体Ｅの外部に露出する面から、係止段部１１ｂまでの距離Ｄ１は、成型等により高い精度で製造することが容易である。上記の距離Ｄ１と距離Ｄ２とを同じ長さとすると、カードトレイ１０が収容された場合に、カードトレイ１０における筐体Ｅの外部に露出する面と、筐体Ｅの外壁面Ｅａとが同一平面上に位置する。この関係は、半田接続に起因する位置の偏差の影響を受けない。したがって、カードトレイ１０が収容された状態での美観に優れている。また、カードトレイ１０が抜止め位置まで挿入されたか否かの判別が容易である。また、カードトレイの一部突出による他の物品の引っ掛け等が防止される。
【００６６】
なお、上述した実施形態が対象とするカードの例として、ナノＳＩＭカードが示されている。ただし、本発明の対象はこれに限られるものではなく、例えばマイクロＳＩＭカードやＳＤカードに代表されるＩＣカードであってもよい。
【００６７】
また、トレイ位置決め部材を付勢する手段は、図示された圧縮コイルばねでなく、他の
ばねであってもよい。例えば、イジェクトばねは、イジェクトスライダの３０の当接部３１及びハウジング２０の挿入方向前端の壁の間に配置された板ばねであってもよい。さらに、戻しばね７０の代わりに、ハウジング２０及び係止解除スライダ６０を連結して係止解除スライダ６０を取出し方向Ｒに付勢する引張りばねを設けてもよい。
【符号の説明】
【００６８】
Ｃ    カードコネクタ
１０    カードトレイ
１１    板状部
１１ａ    突起部
１１ｂ    係止段部
１２    蓋部
１２ｈ    治具挿入孔
２０    ハウジング
２１    受入空間
３０    イジェクトスライダ
３１    当接部
３２    押え部
４０    イジェクトばね
５０    ロック部材
５１    板ばね
５２    トレイ位置決め部材
５２ｐ    案内溝
６０    係止解除スライダ
６１    押下げ突起
６２    ストッパ
７０    戻しばね
８０    コンタクト
Ｂ    電子回路基板
Ｅ    筐体
Ｅａ    外壁面
Ｅｂ    内壁面
Ｅｏ    差入口
Ｅｈ    治具挿入孔
Ｊ    カード
Ｔ    治具
【図１】
2014002894.tif 000003
【図２】
2014002894.tif 000004
【図３】
2014002894.tif 000005
【図４】
2014002894.tif 000006
【図５】
2014002894.tif 000007
【図６】
2014002894.tif 000008
【図７】
2014002894.tif 000009
【図８】
2014002894.tif 000010
【図９】
2014002894.tif 000011
【図１０】
2014002894.tif 000012
【図１１】
2014002894.tif 000013
【図１２】
2014002894.tif 000014
【図１３】
2014002894.tif 000015
【図１４】
2014002894.tif 000016
【図１５】
2014002894.tif 000017
【図１６】
2014002894.tif 000018
【図１７】
2014002894.tif 000019
【図１８】
2014002894.tif 000020
【図１９】
2014002894.tif 000021
【図２０】
2014002894.tif 000022
【図２１】
2014002894.tif 000023